(57)【要約】【課題】プール底面に敷設される歩行用マットの移動防止用重錘具及びこれを備えた歩行用マット並びにプール底面に敷設される歩行用マットの移動を防止する効果を発揮し得る隣接してプール底面に敷設される歩行用マットを連結する連結具と、これによって連結された歩行用マット。【解決手段】プール底面に敷設される歩行用マットの裏面に着脱自在に重錘が取り付けられているプール底面に敷設される歩行用マットの移動防止用重錘具。当該重錘具が取付けられてなるプール底面に敷設される重錘具付歩行用マット。【選択図】図１
2007185214.tif 000002
【特許請求の範囲】
【請求項１】
プール底面に敷設される歩行用マットの裏面に取付けられる第１の接合手段と、当該第１の接合手段と着脱自在な第２の接合手段が表面に取り付けられている重錘とからなるプール底面に敷設される歩行用マットの移動防止用重錘具。
【請求項２】
請求項１に記載の重錘具が取付けられてなるプール底面に敷設される重錘具付歩行用マット。
【請求項３】
隣接してプール底面に敷設される歩行用マットを連結する連結具であって、隣接する一方のマットの隣接側端部に取り付けられる第１の連結部材と、隣接する他方のマットの隣接側端部に取り付けられる第２の連結部材とを有し、前記第１の連結部材と前記第２の連結部材とに前記歩行用マットの表面側から連結蓋が着脱自在に取付けられると共に、前記第１の連結部材と前記第２の連結部材とに、前記歩行用マットの表面側に対向する前記歩行用マットの底面側から、平板状の重錘が取付けられてなる、プール底面に敷設される歩行用マットの移動防止用重錘具付き連結具。
【請求項４】
請求項２記載の重錘具付歩行用マットが、請求項３記載のプール底面に敷設される歩行用マットの移動防止用重錘具付き連結具によって隣接している歩行用マットと連結されてなるプール底面に敷設される歩行用マット。
【発明の詳細な説明】
【技術分野】
【０００１】
この発明は、プール底面に敷設される歩行用マットに関し、特に、プール底面に敷設される歩行用マットの移動を防止する器具とこれを利用したプール底面に敷設される歩行用マットに関する。
【背景技術】
【０００２】
スポーツジムなどにおける水泳プールの利用者には、泳ぐことを目的とする者ばかりではなく、水中での歩行を目的とする者も多い。これは、適度な水圧を受けながら有酸素運動する上で水中での歩行が有効であり、また、水中では浮力が働くことから、足への負担を抑えたい利用者にとっては水中での歩行が効果的だからである。このため、スポーツジムなどにおける水泳プールは、水泳用と水中歩行用とに区分けして利用されているのが一般的である。
【０００３】
しかしプールは水の中で泳ぐことを目的にして作られていたため、その底面は、水中歩行に適した作りになっていない。すなわち、一般的に、水泳プール底面の表面には強化プラスチックやタイルが使われており、滑りやすく、歩行しにくいものになっている。また、水中歩行運動を行っている間に足の裏がプール底面の表面によってこすれてしまうといった問題もあった。
【０００４】
そこで水中歩行用として区分けされているコースの部分では、プールの底面に合成樹脂製のマットを敷設し、足裏との間に適度な滑り止め効果を与え、歩行に適した底面とする工夫がされることがある。
【０００５】
ところが多数の人間が水中歩行することから、歩行により生じる蹴力がマットに頻繁に生じ、さらに浮力の働きと相俟って、敷設した位置からマットのずれや浮き上がりが生じることがある。特に、水中歩行は一方通行に設定されていることが多いから、常に同じ方向の力がマットに働き、マットが敷設位置からずれたり浮き上がったりしやすい。そのため敷設位置の調整を頻繁に行うことが必要となり、管理が面倒である。
【０００６】
そこで、敷設位置からのマットのずれや浮き上がりを防止するため、下面に吸盤を取付けプール底面に着脱可能に固定する吸盤付きマットが提案されている（例えば、特許文献１参照）。
【特許文献１】特開２００２−１８８３０９号公報
【発明の開示】
【発明が解決しようとする課題】
【０００７】
上記特許文献１に開示されている吸盤付きマットは、その吸盤によってプール底面に固定され、敷設位置からのずれや浮き上がりを防止でき、またマットの引き上げにつられて吸盤がプール底面から外れる構造となっていることから、マットの取り外し作業も能率よく簡単にできるものであるとされている。
【０００８】
しかしながら吸盤でプールの底面に固定するには吸盤が付き易いプール底面であることが必要となり、適用できるプールが限定される。また吸盤をプール底面から外すときは、マットと吸盤を繋ぐ剥離操作片に過度の力が加わることからこの剥離操作片が破損しやすいという問題が生じる。さらに既存のマットに吸盤を取付けることは難しく、既存のマットが無駄になる。また新規にマットを購入することはコストも嵩むこととなる。
【０００９】
そこで、この発明は、プール底面に敷設される歩行用マットの移動防止用重錘具及びこれを備えた歩行用マット並びに、プール底面に敷設される歩行用マットの移動を防止する効果を発揮し得る、隣接してプール底面に敷設される歩行用マットを連結する連結具と、これによって連結された歩行用マットを提案することを目的にしている。
【課題を解決するための手段】
【００１０】
上記課題を解決するために、この発明は、プール底面に敷設される歩行用マットの裏面に取付けられる第１の接合手段と、当該第１の接合手段と着脱自在な第２の接合手段が表面に取り付けられている重錘とからなるプール底面に敷設される歩行用マットの移動防止用重錘具を提案するものである。
【００１１】
プール底面に敷設される歩行用マットの裏面に取付けられている第１の接合手段に対して着脱自在な第２の接合手段が表面に取り付けられている重錘を、当該第１、第２の接合手段を介して前記歩行用マットに取り付けることにより、当該重錘の重さにより、歩行用マットをプール底面に安定的に敷設でき、効果的に位置ずれ、浮き上がりを抑えることが可能になる。
【００１２】
このように、本発明によれば、既存の歩行用マットに大幅な改変などを加える必要なしに、既存の歩行用マットに対して着脱可能に重錘を容易に取付けることができる。
【００１３】
さらに本発明の歩行用マットの移動防止用重錘具は、既存の歩行用マット、例えば、合成樹脂製の歩行用マットに対して取付け、取り外しが簡単なので、水中での重錘の取り付けも容易にできる。
【００１４】
また、本発明のプール底面に敷設される歩行用マットの移動防止用重錘具は、プール底面に敷設される歩行用マットの裏面に取付けられる第１の接合手段と、当該第１の接合手段と着脱自在な第２の接合手段が表面に取り付けられている重錘が前記歩行用マットに取り付けられることから、重錘などが歩行用マットの裏面（プール底面に接触する歩行用マットの下側面）に取り付けられることになるので、水中歩行運動を行う人たちの歩行の障害になることがない。
【００１５】
なお、重錘は、水の比重１よりもはるかに大きい金属板であることが好ましい。歩行用マットが金属板の重みでプール底面に安定して沈設されるからである。
【００１６】
第１の接合手段、第２の接合手段としては、相互に着脱自在な者で有れば如何なる形態のものも採用できるが、例えば、相互に接合可能な面ファスナを採用することができる。
【００１７】
次に、前記目的を達成するため、本発明は、前述した本発明の重錘具（プール底面に敷設される歩行用マットの移動防止用重錘具）が取付けられてなるプール底面に敷設される重錘具付歩行用マットを提案するものである。
【００１８】
かかる本発明のプール底面に敷設される重錘具付歩行用マットは、前述した本発明のプール底面に敷設される歩行用マットの移動防止用重錘具の働きにより、多数の人間が一定の方向に向かって水中歩行を行う場合であっても、プールの底面に敷設した位置からずれたり、浮き上がったりすることが効果的に防止されるものになる。
【００１９】
なお、前述した本発明のプール底面に敷設される歩行用マットの移動防止用重錘具の優れた働きにより、例えば、幅１８２０ｍｍ、長さ６２５０ｍｍ、厚さ４．５ｍｍ程度の歩行用マットを長手方向に４枚敷設して２５ｍプール（６．２５ｍ×４）の１レーンを歩行用にする場合、両端の２枚のマットを前述した本発明の重錘具付歩行用マットにする、好ましくは、両端の２枚のマットにおけるプールの壁に近い方の端に本発明の重錘具が取り付けられている形態の本発明の重錘具付歩行用マットにするだけでも、プールの底面に敷設した位置からマットがずれたり、浮き上がったりすることを防止できる。
【００２０】
更に、前記のように、複数枚のマットが長手方向に敷設されてプールの１レーンが歩行用にされる場合、歩行の方向が一定の方向に規制されていることから、歩行する方向の先頭側の端のマットのみを前述した本発明の重錘具付歩行用マットにする、好ましくは、当該マットにおけるプールの壁に近い方の端に本発明の重錘具が取り付けられている形態の本発明の重錘具付歩行用マットにするだけでも、プールの底面に敷設した位置からマットがずれたり、浮き上がったりすることを防止する上で効果がある。
【００２１】
次に、前記目的を達成するため、本発明は、隣接してプール底面に敷設される歩行用マットを連結する連結具であって、隣接する一方のマットの隣接側端部に取り付けられる第１の連結部材と、隣接する他方のマットの隣接側端部に取り付けられる第２の連結部材とを有し、前記第１の連結部材と前記第２の連結部材とに前記歩行用マットの表面側から連結蓋が着脱自在に取付けられると共に、前記第１の連結部材と前記第２の連結部材とに、前記歩行用マットの表面側に対向する前記歩行用マットの底面側から、平板状の重錘が取付けられてなる、プール底面に敷設される歩行用マットの移動防止用重錘具付き連結具を提案するものである。
【００２２】
かかる連結具によって隣接する一方のマットと、他方のマットとを連結することにより、一枚一枚のマットが単に並べて敷設されているだけの状態に比較して、プールの底面に敷設した位置からマットがずれたり、浮き上がったりすることを効果的に防止することができる。
【００２３】
この連結具は既存のマットにおける隣接するマットとの隣接側端部に連結部材を取り付け、隣接する一方のマットの隣接側端部に取り付けられている第１の連結部材と、隣接する他方のマットの隣接側端部に取り付けられている第２の連結部材とを、連結蓋によって、前記第１の連結部材と前記第２の連結部材とに前記歩行用マットの表面側から着脱自在に取付けると共に、前記第１の連結部材と前記第２の連結部材とに、前記歩行用マットの表面側に対向する前記歩行用マットの底面側から、平板上の重錘を取付けることによって、隣接する一方のマットと、他方のマットとを連結するものであるので、既存のマットに大きな改変を加えることなく、簡単に配備することができる。
【００２４】
そして、底面側（既存のマットが敷設されるプール底面の表面に当接する側）に平板状の重錘が取付けられているので、プールの底面に敷設した位置からマットがずれたり、浮き上がったりすることを、より確実、かつ効果的に防止できる。
【００２５】
次に、前記目的を達成するため、本発明は、前述した本発明の重錘具付歩行用マットが、前述した本発明の連結具（プール底面に敷設される歩行用マットの移動防止用重錘具付き連結具）によって隣接している歩行用マットと連結されてなるプール底面に敷設される歩行用マットを提案するものである。
【００２６】
かかる本発明のプール底面に敷設される歩行用マットによれば、前述した本発明のプール底面に敷設される歩行用マットの移動防止用重錘具の働きによって、多数の人間が一定の方向に向かって水中歩行を行う場合であっても、プールの底面に敷設した位置からずれたり、浮き上がったりすることが効果的に防止される本発明の重錘具付歩行用マットが、同じく既存のマットに大きな改変を加えることなく簡単に配備できる本発明の連結具（プール底面に敷設される歩行用マットの移動防止用重錘具付き連結具）によって隣接している歩行用マットと連結されていることにより、プールの底面に敷設した位置からマットがずれたり、浮き上がったりすることを一層効果的に防止できる。
【００２７】
なお、この場合、前述した本発明の重錘具付歩行用マットは、水中歩行用に区画されているレーンにおけるプールの壁に近い方に敷設し（より、好ましくは、前述した本発明のプール底面に敷設される歩行用マットの移動防止用重錘具が当該マットにおいて、プールの壁に近い方の端側に配備されるようにし）、水中歩行用に区画されているレーンにおけるプールの壁から２番目の位置に敷設されているマットとの間を前記連結具によって連結することとすると、プールの底面に敷設した位置からマットがずれたり、浮き上がったりすることをより効果的に防止できる。
【発明の効果】
【００２８】
この発明によれば、プール底面に敷設される歩行用マットの移動防止用重錘具及びこれを備えた歩行用マット並びに、プール底面に敷設される歩行用マットの移動を防止する効果を発揮し得る、隣接してプール底面に敷設される歩行用マットを連結する連結具と、これによって連結された歩行用マットを提供することができる。
【００２９】
本発明のプール底面に敷設される歩行用マットの移動防止用重錘具は、既存のプール底面に敷設される歩行用マットに対して大幅な改変を施すことなしに配備することが可能であり、当該本発明の重錘具を備えた本発明の歩行用マットは、このように既存のプール底面に敷設される歩行用マットに対して大幅な改変を施すことなく、本発明の重錘具を取り付けることのみによって簡単に準備できる。
【００３０】
また、本発明の隣接してプール底面に敷設される歩行用マットを連結する連結具も、既存のプール底面に敷設される歩行用マットに対して大幅な改変を施すことなしに配備することが可能である。
【００３１】
そこで、本発明によれば、既存のプール底面に敷設される歩行用マットを利用し、極めて簡単、かつ、低コストで、プールにおいて水中歩行用に区画されているレーンのプール底面に敷設されている歩行用マットが、多くの人の水中歩行運動の間に敷設位置がずれたり、浮き上がったりすることを効果的に防止できる。
【発明を実施するための最良の形態】
【００３２】
以下、この発明の実施の形態を図面に基づいて説明する。図１はこの発明のプール底面に敷設される歩行用マットの移動防止用重錘具（以下、単に「重錘具」と表すことがある）１の分解組立図であり、図２は同じく断面概略図である。
【００３３】
重錘具１を図１、２を参照して説明する。
【００３４】
プールの底面に敷設される歩行用マット２は、一般的に合成樹脂製で、その大きさは、例えば、幅１８２０ｍｍ、長さ６２５０ｍｍ、厚さ４．５ｍｍ程度（重量は、７０〜８０ｋｇ程度）であり、２５ｍプールの１レーンを歩行用に区画する場合、このマット２を、例えば、長手方向に４枚（６．２５×４＝２５（ｍ））敷設する。
【００３５】
歩行用マット２は、合成樹脂製、例えば、軟質の塩化ビニールであり、比重は約１．４程度であるから、水より比重が大きくプール底面にそのまま敷設することができるが、歩行者による蹴力や水流の作用によって敷設位置からのずれや浮き上がりが生じることがある。
【００３６】
図示の実施例では、本発明の重錘具１における第１の接合手段として面ファスナ３を採用している。ここで、面ファスナ３は、薄型の面状に形成されてなるもので、一方の面が接合面５であり多数のループ状の構造からなる雌型ファスナで、接合面５の反対側の面４は接着剤を塗布されて歩行用マット２の裏面に接着、固定される。接着剤は水中での使用にも接着力が低下しにくいもの、例えばエポキシ系接着剤等を使用できる。
【００３７】
また、図示の実施例では、本発明の重錘具１における第２の接合手段としても面ファスナ６を採用している。面ファスナ６は、面ファスナ３と同様に、薄型面状に形成されてなるもので、一方の面が接合面７であり多数の鉤状の構造からなる雄型ファスナ面で、接合面７と反対側の面は接着剤を塗布されて板状の重錘８の表面に取り付けられている。
【００３８】
重錘８は、水中で使用されることから耐食性に優れたもので、かつ錘としての比重が必要なものであることからオーステナイト系（１８−８）のステンレス製の板などを用いることができる。このステンレス製の重錘８は、比重が約７．９３であり鉄に近い数値である。図示の実施形態では、重錘８として、幅１８２０ｍｍ、長さ１５０ｍｍ、厚さ２．５ｍｍ、重さ約７ｋｇ程度のステンレス板を使用した。
【００３９】
重錘８の表面（図２中、上側面）には、面ファスナ６の接合面７と反対側の面が接着剤で貼り付けられているが、図示の実施形態では、重錘８の他方の面（図２中、下側面）、すなわちプール底面に対向する面には滑り止めシール９が貼り付けられている。
【００４０】
滑り止めシール９は、厚さ１．５ｍｍのポリウレタン樹脂からなるものであり、ステンレス製の重錘８によるプール底面の損傷を防ぐ目的をも兼ねている。
【００４１】
次にこの重錘具を既存の歩行用マットに取り付けて、本発明の重錘具付き歩行用マット２を準備する手順を図１を参照して説明する。
【００４２】
図１において矢印は移動方向を示すもので、前述した本発明の重錘具１が、図２の断面図に示すように取り付けられる。
【００４３】
歩行用マット２を構成するマットの長手方向の端側のプール底面側に向く下面（マットの裏面）に、面ファスナ３の接合面５と反対側の面４が接着剤にて貼り付け固着されている。この面ファスナ３の接合面５に、重錘８の表面が貼り合わせ固着されている面ファスナ６の接合面７を接合して取り付ける。
【００４４】
これによって、本発明の重錘具付き歩行用マット２を準備することができるので、既存の歩行用マットに対して特別な改変を行う必要が無く、既存のマットを利用して、低コストで簡単に本発明の重錘具付き歩行用マット２を準備することができる。
【００４５】
なお、重錘具１をマットの長手方向の両端側底面に取り付けて本発明の重錘具付き歩行用マット２にすることもできるし、マットの長手方向の一方の端側底面にのみ取り付けて本発明の重錘具付き歩行用マット２にすることもできる。重錘具１をマットの長手方向の一方の端側底面にのみ取り付けて本発明の重錘具付き歩行用マット２にする場合には、マット２が敷設されているプールのレーンにおいてプールの壁に近い方のマットの端側の底面に本発明の重錘具１が取り付けられて本発明の重錘具付き歩行用マット２が準備されるようにすることが望ましい。水中歩行運動によるマットの敷設位置ずれを防止する上で望ましいからである。
【００４６】
なお、前記において、面ファスナ３と６の接合による取り付けは、プールの外でも可能であるが、マットの自重が約７０〜８０ｋｇあることから、プールの外において、面ファスナ３、６をそれぞれ、マットの底面、重錘８の表面に取り付けた後、プール内にマットを運び、所定位置に載置してから、面ファスナ３、６を接合して取り付けることもできる。
【００４７】
本発明の重錘具１、重錘具付き歩行用マット２は前記のように、歩行用マット２の底面に接着剤にて面ファスナ３を貼り付け固着して取り付け、重錘８の表面に貼り付け固着された面ファスナ６を面ファスナ３に接合して取り付けるだけで準備できるので、既存の歩行用マットに対して特別な改変を行う必要が無く、既存のマットを利用して、低コストで簡単に本発明の重錘具付き歩行用マット２を準備することができる。
【００４８】
こうして準備された本発明の重錘具付きの歩行用マット２を底面に敷設すれば、重錘８の重みにより安定して載置されるので、多くの人が水中歩行運動を行う場合であっても、しかも予め定められている所定の方向へのみ歩行する水中歩行運動を多数の人が行う場合であっても、歩行用マットのずれや浮き上がりを防止することができる。
【００４９】
また歩行用マット２は、既存のマットを利用することができるので、新たに吸盤付きのマットや重錘を内蔵したマット等を新規に購入する必要もなく、経費の低減ばかりでなく資源の無駄をも防止できる。
【００５０】
なお、第１、第２の接合手段である面ファスナ３、６は、一方が雄型面ファスナ、他方が雌型面ファスナを使用すればよい。
【００５１】
また、第１及び第２の接合手段は、面ファスナの代わりにそれぞれ凹部と凸部からなる着脱可能な嵌め込み式の弾性係合部材などを用いてもよい。
【００５２】
重錘８の材質はステンレス製に限定されるものでなく、他の金属であってもよく、また金属以外の材質であってもよい。重錘として、重錘具１が取り付けられた重錘具付き歩行用マット２のずれや浮き上がりを防止することができる比重を有するものであればよい。
【００５３】
また重錘具１はマットの端部の底面に取り付けるが、この位置に限定するものでなく、必要に応じて設置位置や設置数を変更して取り付ける。
【００５４】
次に、隣接して敷設される歩行用マット２、２を連結する連結具であって、プール底面に敷設される歩行用マットの移動防止用重錘具付き連結具（以下、単に、「連結具」ということがある）について図面を参照して説明する。
【００５５】
図３は本発明のプール底面に敷設される歩行用マットの移動防止用重錘具付き連結具の断面図であり、図４（ａ）は本発明の連結具における連結蓋１４の下面、（ｂ）は本発明の連結具における連結部材１２、１２上面を表す図、図５は一部を省略した本発明の連結具の分解斜視図である。
【００５６】
歩行用マット２の長手方向の端部において、隣接する歩行用マット２に隣接する側の端部側面の全幅を凸条１０に形成加工する。歩行用マット２は軟質の塩化ビニールであるから、現場加工も可能であり、既存の歩行マットを加工使用することができる。
【００５７】
凸条１０と係合する凹部１１が側端側全幅に形成され、歩行用マット２と同一幅の連結部材１２を歩行用マット２に取り付け、固定する。
【００５８】
例えば、接着し、固着する。この場合、接着は凸条１０と凹部１１とに接着剤を塗布して係合させることで固着できる。
【００５９】
あるいは、特に接着剤を用いずに、歩行用マット２の端部に形成された凸条１０に、連結部材１２の凹部１１を嵌め込んで、両者を連結することもできる。
【００６０】
連結部材１２は、例えば、硬質塩化ビニール製の板状部材であり、凹部１１を側端側全幅に形成されてなるとともに、上面には歩行用マット２の幅方向と同一方向に、図３図示のように、内部が拡大している嵌め込み用の凹部１３が形成されている。
【００６１】
なお、前述したように、既存の歩行用マット２の長手方向の端部において、隣接する歩行用マット２に隣接する側の端部に設けられている連結手段（例えば、凸条１０）と、これに取り付け、固定される歩行用マット２と同一幅の連結部材１２の端部に設けられている連結手段（例えば、凹部１１）とにより、既存の歩行用マット２の長手方向の端部に連結部材１２を取り付け、固定すればよいので、凸条１０、凹部１１を必ずしも歩行用マット２と同一幅に設ける必要はなく、種々の形態の連結手段を採用できる。
【００６２】
連結蓋１４は、硬質塩化ビニール製の板状部材であり、隣接する既存の歩行用マット２、２の隣接側端部に取り付け、固定されたそれぞれの連結部材１２、１２に着脱自在に取り付けられるものである。
【００６３】
連結蓋１４の上面は、歩行者の滑り止め用に突起１５がマット幅方向に設けられている。図示の例では、歩行者の滑り止め用の突起１５が、マット幅方向に６本平行に設けられている。
【００６４】
図示の実施形態では、連結蓋１４の下面、すなわち２つの連結部材１２、１２の表面側(図３中、上側面)に当接する側の面に、図４（ａ）に示すようにマット片の幅方向と同一方向に延びる２本の凸条１６が平行に形成されている。この凸条１６は連結部材１２の嵌め込み用の凹部１３に係合するもので、先端に向けて拡大する形状、すなわち連結蓋１４に接続する側の頚部に対し先端が拡大する頭部の形に形成されている。
【００６５】
図示の実施形態では、連結蓋１４は、２つの連結部材１２、１２の真上から凸条１６を凹部１３に係合させて連結する。
【００６６】
なお、連結部材１２、１２に、歩行用マット２の表面側（図３中、上側）から連結蓋１４を着脱自在に取り付ける構造は、前述し、図３、図４（ａ）、（ｂ）に図示した形態に限られず、種々の形態を採用することが可能である。
【００６７】
また、連結部材１２、１２に対しては、図３図示のように、歩行用マット２の表面側（図３中、上側）に対向する歩行用マット２の底面側（図３中、下側）から、平板状の重錘１８が着脱自在に取り付けられている。
【００６８】
図３図示の実施形態では、連結部材１２を図３中、上下に貫通している孔に対応する位置に孔を有する重錘１８と、連結部材１２とにボルト２０が貫通され、ボルト２０の両端にナット２１、２１が締め付けられて、平板状の重錘１８が連結部材１２に着脱自在に取り付けられている。
【００６９】
歩行用マット２が敷設されるプール底面の表面を傷つけることを防止したり、連結蓋１４の下側面(図３中、下側の面)が、平坦になっている連結部材１２、１２の上側面に緊密に当接できるように、図３に例示するように、連結部材１２上側面(図３中、上側の面)、重錘１８の下側面(図３中、下側の面)にそれぞれ窪み部を設け、ボルト２０の両端、ナット２１、２１が、連結部材１２上側面、重錘１８の下側面からそれぞれ突出しないようにすることが望ましい。
【００７０】
平板状の重錘１８としては、前述した重錘８と同じく、水中で使用されることから耐食性に優れたもので、かつ錘としての比重を有するオーステナイト系（１８−８）のステンレス製板などを用いることができる。
【００７１】
また、平板状の重錘１８の下側面（図３中、下側面）には、前述した重錘８の下側面に貼り付けたのと同じく、ステンレス製の平板状重錘１８によるプール底面の損傷を防ぐ目的をも兼ねて、滑り止めシール１９を貼りつけることができる。滑り止めシール１９としては、前述したように、厚さ１．５ｍｍのポリウレタン樹脂などを採用できる。
【００７２】
なお、連結部材１２、１２に対して、歩行用マット２の表面側（図３中、上側）に対向する歩行用マット２の底面側（図３中、下側）から、平板状の重錘１８を取り付けることができるものであれば、前述した以外の種々の取り付け構造を採用することが可能である。
【００７３】
例えば、連結部材１２の底面側（図３中、下側）から上側に向けてネジ孔を設け、この連結部材１２の底面にネジ孔が設けられている位置に対応する位置に孔を有する平板状の重錘１８を連結部材１２の底面側から当接し、この状態で、連結部材１２の底面側から上側に向けてネジを嵌め込む、等によって、取り付けることもできる。この場合は、図５図示のように、連結部材１２の表面側に、嵌め込み用の凹部１３以外のものが表れないようにすることができる。
【００７４】
本発明の連結具を既存の歩行用マットに取り付けるにあたっては、上述したように、既存の歩行用マット２、２の隣接する端部を切除等し、連結部材１２を取り付けるための凹凸形状、構造などを成形するが、既存の歩行用マット２、２の隣接する端部側を、連結部材１２、１２の長手方向長さ（図３中、左右方向の長さ）に相当する分、切除する等の成形を行うことにすればよい。このようにすれば、既存の歩行用マットを利用し、マットの大きさを変更することなく（すなわち、プールの１レーンに敷設するのに要するマットの枚数に変更を加える必要を生じさせることなく）、簡単に本発明の連結具を用いて、隣接する既存の歩行用マット２、２を連結することができる。
【００７５】
そして、前述した本発明の連結具によって隣接する一方の歩行用マット２と、他方の歩行用マット２とを連結することにより、一枚一枚のマットが単に並べて敷設されているだけの状態に比較して、プールの底面に敷設した位置からマットがずれたり、浮き上がったりすることを効果的に防止できる。
【００７６】
なお、プール底面に敷設する歩行用マットを、前述した本発明の重錘具付歩行用マット２が、前述した本発明の連結具によって隣接している歩行用マットと連結されているものにすれば、プールの底面に敷設した位置からマットがずれたり、浮き上がったりすることを一層効果的に防止できる。
【００７７】
すなわち、このようにすれば、前述した本発明のプール底面に敷設される歩行用マットの移動防止用重錘具１の働きによって、多数の人間が一定の方向に向かって水中歩行を行う場合であっても、プールの底面に敷設した位置からずれたり、浮き上がったりすることが効果的に防止される本発明の重錘具付歩行用マット２が、同じく既存のマットに大きな改変を加えることなく簡単に配備できる本発明の連結具によって隣接している歩行用マットと連結されていることにより、プールの底面に敷設した位置からマットがずれたり、浮き上がったりすることを一層効果的に防止できる。
【図面の簡単な説明】
【００７８】
【図１】この発明の重錘具の分解組立図。
【図２】この発明の重錘具の断面概略図。
【図３】本発明のプール底面に敷設される歩行用マットの移動防止用重錘具付き連結具の断面図。
【図４】（ａ）は本発明の連結具における連結蓋の下面の一例を表す図、（ｂ）は本発明の連結具における連結部材の上面の一例を表す図。
【図５】一部を省略した本発明の連結具の分解斜視図。
【符号の説明】
【００７９】
１    重錘具
２    歩行用マット
３    面ファスナ（第１の接合手段）
６    面ファスナ（第２の接合手段）
８    重錘
９    滑り止めシール
１０  凸条
１１  凹部
１２  連結部材(第１の連結部材)
１２  連結部材(第２の連結部材)
１３  凹部
１４  連結蓋
１６  凸条
１８  平板状の重錘
【図１】
2007185214.tif 000003
【図２】
2007185214.tif 000004
【図３】
2007185214.tif 000005
【図４】
2007185214.tif 000006
【図５】
2007185214.tif 000007